(57)【要約】【課題】【解決手段】  医療用断絶ガード（１）が、複数の流体入口（２）および複数の流体出口（３）を含んで開示されている。前記流体入口（２）は、筐体内に備えられている流体コネクター（３ａ）により、流体出口に直接連結されている。注入ラインまたはモニターラインが偶然に引っ張られるという場合には、前記注入ラインまたはモニターラインは、前記断絶ガード（１）の片側から抜けることができ、前記患者は他方の側上で前記断絶ガード（１）に連結したままでいることができる。前記流体入口（２）および出口（３）は、自己密封式が好ましい。
2005520644.tif 000002
【特許請求の範囲】
【請求項１】
患者からの注入ラインの断絶を防止するための断絶ガードであって、
前記断絶ガードが、
複数の流体入口と、
複数の流体出口と、
１またはそれ以上の流体コネクターとを含み、
各前記流体コネクターは、流体入口を流体出口に連結させ、各前記流体コネクターは、前記流体入口および前記流体出口にしっかりとかつ取り外し不能に固定されている断絶ガード。
【請求項２】
各前記流体コネクターが、一つの流体入口を、一つの流体出口に連結する請求項１に記載の断絶ガード。
【請求項３】
前記断絶ガードが、２、３、４、５、６または６より多くの流体入口および／または流体出口を含む請求項１または２に記載の断絶ガード。
【請求項４】
筐体をさらに含む先行する請求項のいずれかに記載の断絶ガードであって、前記流体コネクターが、前記筐体内に配置され、
前記流体入口および前記流体出口が、前記筐体上に備えられている断絶ガード。
【請求項５】
請求項４に記載の断絶ガードであって、前記流体入口が、前記筐体の片側上に取り付けられ、前記流体出口が、前記筐体の反対側上に取り付けられている断絶ガード。
【請求項６】
先行する請求項のいずれかに記載の断絶ガードであって、各前記流体コネクターが、プラスチック配管を含む断絶ガード。
【請求項７】
先行する請求項のいずれかに記載の断絶ガードであって、少なくとも大多数の各前記流体コネクターが、実質的に透明である断絶ガード。
【請求項８】
先行する請求項のいずれかに記載の断絶ガードであって、前記断絶ガードが、１またはそれ以上の前記流体コネクターの少なくとも一部の視界を提供するための１またはそれ以上の観察窓を含む断絶ガード。
【請求項９】
先行する請求項のいずれかに記載の断絶ガードであって、少なくとも一部の前記断絶ガードが、透明であり、それ故、１またはそれ以上の前記流体コネクターの少なくとも一部が、目に見える断絶ガード。
【請求項１０】
先行する請求項のいずれかに記載の断絶ガードであって、いずれの注入ラインが、流体入口および／または流体出口に連結されるべきかを示すための手段を更に含む断絶ガード。
【請求項１１】
先行する請求項のいずれかに記載の断絶ガードであって、前記断絶ガードを、患者のベッド、移動手押し車、ストレッチャー、手術台等に取り付けるための取付手段を更に含む断絶ガード。
【請求項１２】
請求項１１に記載の断絶ガードであって、前記取付手段が、ストラップを含む断絶ガード。
【請求項１３】
先行する請求項のいずれかに記載の断絶ガードであって、前記断絶ガードが、１またはそれ以上のアクセスポートを更に含み、各前記アクセスポートが、前記流体コネクターと流体連結している断絶ガード。
【請求項１４】
請求項１３に記載の断絶ガードであって、各前記アクセスポートは、流体を流体コネクター中へ注入もしくは、さもなければ導入させることができ、かつ／または、流体を前記流体コネクターから抜き取らせることができる断絶ガード。
【請求項１５】
請求項１３または１４に記載の断絶ガードであって、各前記アクセスポートが、実質的に自己密封式である断絶ガード。
【請求項１６】
選択デバイスを更に含む請求項１３、１４または１５に記載の断絶ガードであって、前記選択デバイスは、以下：
（ｉ）流体入口から流体出口へ流体を流すこと；
（ｉｉ）アクセスポートから流体出口へ流体を流すこと；
（ｉｉｉ）流体出口に流すことなく、アクセスポートから流体入口へ流体を流すこと；
（ｉｖ）流体入口から、およびアクセスポートから、流体出口へ、同時に流体を流すことを可能にすること；および
（ｉｖ）流体入口に流すことなく、流体出口からアクセスポートへ流体を流すこと
の１またはそれ以上を可能にする断絶ガード。
【請求項１７】
先行する請求項のいずれかに記載の断絶ガードであって、前記断絶ガードが、１またはそれ以上の流量調節デバイスを更に含み、各前記流量調節デバイスが、流体コネクターを通過する流体の流量を選択的に調整するために用いられる断絶ガード。
【請求項１８】
請求項１７に記載の断絶ガードであって、各前記流量調節デバイスが、三方バルブを含む断絶ガード。
【請求項１９】
先行する請求項のいずれかに記載の断絶ガードであって、前記断絶ガードが、患者からの１またはそれ以上の電気リードの断絶を防止するための手段を、更に含む断絶ガード。
【請求項２０】
請求項１９に記載の断絶ガードであって、前記１またはそれ以上の電気リードが、（ｉ）心電計（「ＥＣＧ」）センサーおよび／またはモニターに連結されたリード；ならびに（ｉｉ）酸素飽和度センサーおよび／またはモニターに連結されたリードからなる群から選択される断絶ガード。
【請求項２１】
請求項１９または２０に記載の断絶ガードであって、１またはそれ以上の電気リードからの１またはそれ以上のプラグまたはソケットが、前記断絶ガード内または前記断絶ガード上に、用いられて収納されている断絶ガード。
【請求項２２】
請求項１９、２０または２１に記載の断絶ガードであって、前記断絶ガード内または前記断絶ガード上に、１またはそれ以上のリード、プラグまたはソケットを固定するための１またはそれ以上のクランプを更に含む断絶ガード。
【請求項２３】
先行する請求項のいずれかに記載の断絶ガードであって、前記流体入口が、注入ラインへの連結のためのプッシュオン連結器を含む断絶ガード。
【請求項２４】
請求項２３に記載の断絶ガードであって、前記プッシュオン連結器が、ルアー−スリップ連結器を含む断絶ガード。
【請求項２５】
先行する請求項のいずれかに記載の断絶ガードであって、前記流体入口が、連結器を含み、注入ラインが引っ張られる場合には、前記連結器により、前記連結器に連結された注入ラインが前記流体入口から抜けることが可能になる断絶ガード。
【請求項２６】
先行する請求項のいずれかに記載の断絶ガードであって、前記流体出口が、注入ラインに連結するためのロッキング連結器を含む断絶ガード。
【請求項２７】
請求項２６に記載の断絶ガードであって、前記ロッキング連結器が、ルアー−ロック連結器を含む断絶ガード。
【請求項２８】
先行する請求項のいずれかに記載の断絶ガードであって、前記流体出口が、連結器を含み、前記連結器は、注入ラインが引っ張られる場合には、前記連結器に連結した注入ラインが、前記流体出口から抜けることを実質的に防止する断絶ガード。
【請求項２９】
先行する請求項のいずれかに記載の断絶ガードであって、前記流体入口および／または前記流体出口が、実質的に自己密封式連結器を含む断絶ガード。
【請求項３０】
先行する請求項のいずれかに記載の断絶ガードであって、１またはそれ以上の付加的な注入ラインを固定するための１またはそれ以上のクリップを更に含む断絶ガード。
【請求項３１】
患者からの注入ラインおよび電気ラインの断絶を防止するための断絶ガードであって、前記断絶ガードが、
１またはそれ以上の電気コネクターを固定するための手段と、
複数の流体入口と、
複数の流体出口と、
複数の流体コネクターとを含み、
各流体コネクターが、流体入口を流体出口に連結させ、
各前記流体コネクターが、前記流体入口および前記流体出口に、しっかりとかつ取り外し不能に固定され；
各前記流体コネクターが、自己密封式アクセスポートを含み、前記自己密封式アクセスポートを通過して、流体が、前記流体コネクター中に導入され、かつ／または前記流体コネクターから抜き取られる断絶ガード。
【請求項３２】
患者からの注入ラインの断絶を防止するための流体断絶ガードであって、前記断絶ガードが、
複数の流体入口と、
複数の流体出口と、
複数の流体コネクターとを含み、
各流体コネクターが、一つの流体入口を一つの流体出口に連結させ、
各前記流体コネクターが、前記流体入口および前記流体出口に、しっかりとかつ取り外し不能に固定されている断絶ガード。
【請求項３３】
１またはそれ以上の注入流体を供給するための１またはそれ以上の注入デバイスと、
断絶ガードと、
１またはそれ以上の前記注入デバイスを、前記断絶ガードと連結させる複数の注入ラインとを含む医療用注入器具であって、
前記断絶ガードが、複数の流体入口と、複数の流体出口と、複数の流体コネクターとを含み、
各前記流体コネクターが、一つの流体入口を、一つの流体出口に連結させ、
各前記流体コネクターが、前記流体入口および前記流体出口に、しっかりとかつ取り外し不能に固定されている医療用注入器具。
【請求項３４】
１またはそれ以上の電気モニターデバイスを更に含む請求項３３に記載の医療用注入器具であって、
前記断絶ガードが、１またはそれ以上のセンサーに付けられた１またはそれ以上の電気コネクターおよび／またはリードを、前記断絶ガードに固定するための手段をさらに含む医療用注入器具。
【請求項３５】
患者からの注入ラインの断絶を防止するための断絶ガードであって、前記断絶ガードが、
筐体と、
前記筐体上に取り付けられた、複数の流体入口および流体出口と、
前記筐体内に備えられた、複数の実質的に透明な流体コネクターとを含み、
各前記流体コネクターが、流体入口を流体出口と連結し；
前記筐体が、透明部分を含み、そのため、少なくとも一部の前記流体コネクターが、前記透明部分を通して見える断絶ガード。
【請求項３６】
注入ラインの断絶を防止する方法であって、
前記方法は、
複数の流体入口と、複数の流体出口と、流体入口を流体出口に連結している少なくとも１つの流体コネクターとを含む断絶ガードを準備すること、
前記断絶ガードを患者のベッド、移動手押し車、ストレッチャーまたは手術台に付けること; および
１またはそれ以上の注入デバイスを、前記断絶ガードに付けることを含み、
前記流体コネクターは、前記流体入口および前記流体出口に、しっかりとかつ取り外し不能に固定されている方法。
【請求項３７】
請求項３６に記載の方法であって、前記方法が、前記断絶ガードから患者への１またはそれ以上の注入ラインを付けることを更に含む方法。
【請求項３８】
患者を運搬する方法であって、
前記方法は、
断絶ガードからの注入器具の接続を断つこと、
患者を移動すること、および
通過注入器具を、前記断絶ガードに連結することを含み、
前記患者は、注入ラインにより、前記断絶ガードに連結されており、
前記断絶ガードが、複数の流体入口と、複数の流体出口と、流体入口を流体出口に連結している少なくとも１つの流体コネクターとを含み、
前記流体コネクターが、前記流体入口および前記流体出口に、しっかりとかつ取り外し不能に固定されている方法。
【請求項３９】
請求項３８に記載の方法であって、
前記方法が、
前記患者を移動する前に、前記断絶ガードからの電気リードの接続を断つこと、および
通過モニター器具を、前記断絶ガードに連結することを更に含み、
前記患者を移動する工程が、１またはそれ以上の電気リードに前記患者がさらに連結されると同時に、前記患者を移動することを含む方法。
【請求項４０】
患者からの注入ラインの断絶を防止するための断絶ガードであって、前記断絶ガードが、
筐体と、
前記筐体上に取り付けられた複数の流体入口および流体出口と、
前記筐体中に備えられた１またはそれ以上の流体コネクターとを含み、
各前記流体コネクターが、一つの流体入口を一つの流体出口に連結している断絶ガード。
【請求項４１】
患者からの注入ラインの断絶を防止するための断絶ガードであって、前記断絶ガードが、
板と、
前記板上に取り付けられた複数の流体入口および流体出口と、
前記板上に備え付けられた１またはそれ以上の流体コネクターとを含み、
各前記流体コネクターが、一つの流体入口を一つの流体出口に連結している断絶ガード。
【発明の詳細な説明】
【技術分野】
【０００１】
本発明は、患者からの注入ラインの断絶を防止するための断絶ガードに関する。
【背景技術】
【０００２】
大手術の間、患者は通常、多数の注入ラインおよびモニターリードに連結されている。滅菌外科手術分野および患者の位置ぎめのため、一度その患者の位置を決めたら、これらの注入ラインに接近するのはしばしば困難である。このように接近することは、手術の間中、様々な理由（例えば、血液サンプル採取、器具／注入ラインの添加／除去および、投与されるべき大量の薬物のような）から必要でありうる。注入供給ラインは、通常、手術の前に準備され、麻酔導入の間に、その患者に連結される。延長ラインおよびアクセスポートは、外科手術分野において、患者の位置ぎめおよび混乱を防止するために接近が限られているという問題を解決するため、しばしば、それらのラインに加えられる。しかし、このことにより、ラインをまた延長させ、ラインがもつれるという問題を増やし、そのうえ、もし、そのラインが周囲の器具に引っかかると、その患者に外傷を与えるという危険性を増加させている。
【発明の開示】
【発明が解決しようとする課題】
【０００３】
ＧＢ２，２３３，５６３（Ａｉｎｓｗｏｒｔｈ）には、注入ライン用マルチ相互接続器械が開示されており、その器機は、医師が、挿入デバイスの数を増やすことなく、利用可能な注入口の数を増加させることが可能な、器械を提供することを目的としている。その器械は、より多数の入口ユニットが、より少数の出口ユニットと連結できるように、設計されている。その連結は、弾力性のある交差接続チューブを備え、各出口ユニットは、複数の入口ポートを有し、そのポートに、１以上の交差接続チューブが連結することができる。そのチューブは、選択的に並び替えられてもよく、そのため、人為ミスの危険性および注入ラインへの汚染物質の導入を増加させる。そのチューブは、前記入口ユニットと前記出口ユニットを連結しており、収納されておらず、従って、用いられるとき、並び替えられるか、または配置を換えられる位置にある。
【課題を解決するための手段】
【０００４】
本発明のある観点によれば、患者からの注入ラインの断絶を防止するための断絶ガードが提供される。その断絶ガードは、複数の流体入口と、複数の流体出口と、１またはそれ以上の流体コネクターとを含み、各流体コネクターは、流体入口を流体出口に連結させ、各流体コネクターは、前記流体入口および前記流体出口に、しっかりとかつ取り外し不能に固定されている。
【発明を実施するための最良の形態】
【０００５】
前記流体コネクターは、流体入口と流体出口との間に、しっかりと、かつ取り外し不能に固定されていると記述されている。このことは、前記流体コネクターが流体入口と流体出口との間から、除去されることが不可能であることを意味するように、理解されるべきではなく、単に、前記断絶ガードが製造において一旦組み立てられたら、前記流体コネクターは、前記断絶ガード内で、それらの位置から除去されるよう設計も、意図もされていないと理解されるべきである。前記流体コネクターが前記流体入口および／または出口から取り外されたとしても、それらは、それらが所定の入口と対応する出口との間のみに連結されるような、長さであるのが好ましい。それゆえ、その好ましい実施態様は、注入ラインが誤って連結されること（そのことは、ＧＢ２，２３３，５６３に開示された配置に関する重大な問題である）を防ぐのに役立つ。
【０００６】
前記断絶ガードにより、注入ラインおよび電気モニターリードを患者に連結する方法が提供され、そのため前記患者は、周囲の器具へ直接連結することから切り離され、したがって、ラインが引っ張られたり、もつれたりして外傷が生じる可能性から、その患者を保護することができる。その断絶ガードはまた、「参照の地点」を提供し、それにより、サンプリング、巨丸剤の投与、および器具（例えば、流体加熱装置）の追加／除去のための全ての注入ラインへ即座に接近可能にし、かつ電気リード用連結共通ポイントを提供する。その断絶ガードはまた、人為ミスの危険性を減じる。例えば、各流体コネクターは隔離され、その器械は注入ラインの間の連結を可能にさせない。
【０００７】
その断絶ガードは、複数の注入ラインが存在する場合には常に、注入器具に連結されてもよい。そのため、いつでも注入ラインが偶然に引っ張られれば、または器具上に引っかかれば、その注入ラインにおける張力は、患者ではなく、その断絶ガードにのみ到達し、従って、外傷の可能性を避けることができる。その断絶ガードは、患者が複数の注入ラインおよび／または電気モニターリード（手術室、集中治療室（「ＩＴＵｓ」）、冠状疾患集中治療、磁気共鳴映像法等を含む）を有する場合はいつでも、用いられることができる。
【０００８】
各流体コネクターは、一つの流体入口を、一つの流体出口に連結し、一つの注入ラインからの流体が、別の注入ラインからの流体と接触するに到るのを防ぐのが好ましい。従って、その断絶ガードは、各注入ラインと関連した流体の流れを別々の状態にしておく。
【０００９】
その断絶ガードは、２、３、４、５、６または６より多い流体入口および／または流体出口を含むのが好ましい。
【００１０】
その断絶ガードは、プラスチックの筐体を有し、流体コネクターがその筐体中に配置され、流体入口および流体出口がその筐体上に備えられているのが好ましい。その筐体は、前記流体コネクターへ近づくことを妨げ、特に、前記流体入口、前記流体出口および前記流体コネクターの配置を変更するのを妨げ、それにより、人為ミスの危険性を減少させる。その筐体はまた、前記流体入口、前記流体出口および前記流体コネクターの保護を提供する。
【００１１】
その断絶ガードは、前記流体入口が、前記筐体の片側上に取付られ、前記流体出口が前記筐体の反対側上に取り付けられるように、配置されてもよい。
【００１２】
各流体コネクターは、プラスチック配管を含むのが好ましい。さらに、少なくとも大多数の各流体コネクターは、ユーザーが、そのコネクターを通る流体の流れを見れるように、実質的に透明であってもよい。
【００１３】
その断絶ガードは、１またはそれ以上の前記流体コネクターの少なくとも一部を見るために、１またはそれ以上の観察窓を有するのが好ましい。前記観察窓は、例えばフラップを含んでもよく、または前記観察窓は、透明部分を含んでもよい。代わりに、またはそのうえ、少なくとも一部、好ましくは全部の前記断絶ガードが、透明であってもよく、そうすれば、１またはそれ以上の前記流体コネクターの少なくとも一部が目に見える。使用の前、最中および後に、前記流体コネクターを見ることが可能であることは、その結果、ユーザーは、器械を通る流体の流れが、正確に配置されていることを確信できて都合がよい。
【００１４】
その断絶ガードは、いずれの注入ラインが、流体入口および／または流体出口に連結されるべきかを示すための手段をさらに含んでもよい。その断絶ガードは、注入ラインを前記断絶ガードに連結させるとき、正確な連結を確実にするため、例えば、対応する注入ラインと同様の方法で彩色または印を付けられてもよい。前記断絶ガードの最上の表面は、また、前記断絶ガードの対応する流体入口および流体出口を示す、区分された刻印を有してもよい。
【００１５】
その断絶ガードは、前記断絶ガードを患者のベッド、移動手押し車、ストレッチャー、手術台等に取り付けるための取付手段をさらに含んでもよい。前記取付手段は、ストラップを含むのが好ましい。
【００１６】
前記断絶ガードは、１またはそれ以上のアクセスポートをさらに含んでもよい。各アクセスポートは、流体コネクターと流体連結している。前記アクセスポートは、流体を流体コネクター中に注入もしくは、さもなければ導入させることができ、かつ／または、流体を前記流体コネクターから抜き取らせることができる。前記アクセスポートは、前記注入ラインに即座に接近することができ、そのことは、血液サンプルを取り、大量の薬物を与えたり、または注入液体を交換するために、いつでも必要である。
【００１７】
前記断絶ガードは、流体入口から流体出口へ流体を流すこと、アクセスポートから流体出口へ流体を流すこと、流体出口に流すことなくアクセスポートから流体入口へ流体を流すこと、流体を流体入口からと、アクセスポートから、同時に流体出口に流すこと、または、流体入口へ流すことなく、流体出口からアクセスポートへ流体を流すことが可能な、バルブ選択デバイスをさらに含んでもよい。ある実施形態において、前記選択デバイスは、三方バルブを含んでもよい。流体コネクターを通り、アクセスポートおよび流体コネクターから、アクセスポートおよび流体コネクターへの流体の流れを調整できるのが、都合がよい。
【００１８】
前記断絶ガードは、１またはそれ以上の流量調節デバイスをさらに含み、流体の流れ、すなわち、前記流体コネクターを通る流速を選択的に調整してもよい。
【００１９】
前記断絶ガードは、患者からの１またはそれ以上の電気リードの断絶を防止するための手段をさらに含むのが好ましい。前記電気リードは、例えば、心電計（「ＥＣＧ」）センサーおよび／もしくはモニターに連結されたリード、または酸素飽和度センサーおよび／もしくはモニターに連結されたリードを、含んでもよい。
【００２０】
好ましい実施形態によれば、１またはそれ以上の電気リードからの１またはそれ以上のプラグまたはソケットはまた、前記断絶ガード内または上に、用いられて収納されてもよい。例えば、前記プラグおよびソケットは、前記断絶ガード内の凹部内に、配置されていてもよい。この実施形態によれば、電気モニター器械は、プラグ（ソケット）を有するリードに連結されるであろう。前記プラグ（ソケット）は、別のリード（患者に付けられたセンターに連結されている）に連結されたソケット（プラグ）と、かみ合うであろう。前記プラグおよびソケットは、前記断絶ガードに留められるのが好ましい。従って、前記電気モニター器械に付けられた前記リードが、偶然に引っ張られると、前記プラグおよびソケットは、離れるが、患者に付けられたそのリードは、本質的に平静であろう。
【００２１】
少々劣る好ましい実施形態によれば、前記電気モニター器具は、仲介プラグ／ソケットが存在することなく、患者センサーに直接連結されていてもよい。そのような環境において、前記モニターリードは、前記断絶ガードに留められ、前記リードは、前記リードが偶然に引っ張られる場合には、前記モニター器具から抜けるように配置されてもよい。
【００２２】
前記断絶ガードは、前記断絶ガード内または上に、１またはそれ以上のリード、プラグまたはソケットを固定するための１またはそれ以上のクランプをさらに含んでもよい。
【００２３】
前記流体入口は、プッシュオン連結器、例えば注入ラインへの連結のためのルアー−スリップ継ぎ手を含むのが好ましい。注入ラインが偶然に引っ張られるか、またはもつれたり、もしくは引っ張られるという場合には、その結果、前記連結器により、前記連結器に連結された注入ラインが、前記流体入口から抜けることができる。このことにより、患者に外傷が生じるのを防止する。
【００２４】
前記断絶ガードの前記流体入口への連結は、それらが偶然に引っ張られる場合には、注入ラインが、計画的に前記入口コネクターから抜けることができるのが好ましい一方、前記流体出口は、前記断絶ガードから患者に流れる前記注入ラインの連結用ロッキング（例えば、ねじ）連結器を含むのが好ましい。前記ロッキング連結器は、ルアー−ロック連結器を含むのが好ましい。前記流体出口は、注入ラインが引っ張られる場合には、前記連結器に連結した注入ラインが、前記流体出口から抜けるのを実質的に防ぐ連結器を含むのが好ましい。
【００２５】
本出願において、用語「流体入口連結器」は、注入器具（例えば、前記断絶ガードへの重力送りの注入デバイスまたは注射器ドライバ）を正常に連結する連結器を記述するのに用いられる。同様に、用語「流体出口連結器」は、患者に直接連結された注入ラインに、断絶ガードを正常に連結する連結器を記述するのに用いられる。
【００２６】
前記流体入口と、少々劣って好ましいが、流体出口とは、実質的に自己密封式連結器を含んでも良く、それにより、流体および／または血液が漏れ出るのを防止することができる。前記連結器はまた、空気が前記注入ラインから入るのを実質的に防ぎ、前記注入ラインは、意図的にまたは偶然に、断絶されることになる。
【００２７】
前記断絶ガードは、１またはそれ以上の付加的な注入ライン（例えば硬膜外（Epidural）ライン）を固定するための１またはそれ以上のクリップをさらに含んでもよい。硬膜外ラインを注入ラインから離し続け、薬物が注入ラインよりむしろ、硬膜外ラインに偶然に導入されないことを確実にすることが重要である。前記別々のクリップは、硬膜外ラインが注入ラインに間違えられないことも確実にする一方、硬膜外ラインがもつれる機会を減らすのに助けになる。
【００２８】
本発明の更なる観点によれば、患者からの注入ラインおよび電気ラインの断絶を防止するための断絶ガードが提供される。前記断絶ガードは、１またはそれ以上の電気コネクターを固定するための手段と、複数の流体入口と、複数の流体出口と、複数の流体コネクターとを含む。各流体コネクターは、流体入口を流体出口に連結し、各流体コネクターは前記流体入口および前記流体出口にしっかりとかつ取り外し不能に固定され、各流体コネクターは、自己密封式アクセスポートを含み、それを通して、流体は前記流体コネクター中に導入されるか、かつ／または前記流体コネクターから抜き取られてもよい。
【００２９】
本発明の更なる観点によれば、患者からの注入ラインの断絶を防止するための流体断絶ガードが提供される。前記断絶ガードは、複数の流体入口と、複数の流体出口と、複数の流体コネクターとを含み、各流体コネクターは、一つの流体入口を一つの流体出口に連結し、各流体コネクターは、前記流体入口および前記流体出口に、しっかりとかつ取り外し不能に固定されている。
【００３０】
本発明の更なる観点によれば、１またはそれ以上の注入流体を供給するための１またはそれ以上の注入デバイスと、断絶ガードと、１またはそれ以上の注入デバイスを、前記断絶ガードと連結させる複数の注入ラインとを含む医療用注入器具が提供される。前記断絶ガードは、複数の流体入口と、複数の流体出口と、複数の流体コネクターとを含み、各流体コネクターは、一つの流体入口を一つの流体出口に連結し、各流体コネクターは、前記流体入口および前記流体出口にしっかりとかつ取り外し不能に固定されている。
【００３１】
前記医療用注入器具は、１またはそれ以上の電気モニターデバイスと、１またはそれ以上のセンサーに付けられた１またはそれ以上の電気コネクターおよび／またはリードを断絶ガードに固定するための手段とをさらに含むのが好ましい。
【００３２】
本発明の更なる観点によれば、患者からの注入ラインの断絶を防止するための断絶ガードが提供される。前記断絶ガードは、筐体と、前記筐体上に取り付けられた複数の流体入口および流体出口と、前記筐体内に備えられた複数の実質的に透明な流体コネクターとを含み、各流体コネクターが、流体入口を流体出口に連結し、前記筐体は、透明部分を含み、そのため、流体コネクターの少なくとも一部が、前記透明部分を通して見える。
【００３３】
本発明の更なる観点によれば、注入ラインの断絶を防止する方法が提供される。その方法は、複数の流体入口と、複数の流体出口と、流体入口を流体出口に連結している少なくとも１つの流体コネクターとを含む断絶ガードを準備し（前記流体コネクターは、前記流体入口および前記流体出口にしっかりとかつ取り外し不能に固定されている）；
前記断絶ガードを患者のベッド、移動手押し車、ストレッチャーまたは手術台に付け；および
１またはそれ以上の注入デバイスを前記断絶ガードに付けることを含む。
【００３４】
その方法は、前記断絶ガードから患者への１またはそれ以上の注入ラインを付けることを更に含んでもよい。
【００３５】
本発明の更なる観点によれば、患者を運搬する方法が提供される。その方法は、断絶ガードからの注入器具の接続を断ち；患者を移動し（その患者は、注入ラインにより前記断絶ガードに連結されている）；通過注入器具を前記断絶ガードに連結させることを含む。前記断絶ガードは、複数の流体入口と、複数の流体出口と、流体入口を流体出口に連結している少なくとも１つの流体コネクターとを含み、前記流体コネクターは、前記流体入口および前記流体出口に、しっかりとかつ取り外し不能に固定されている。
【００３６】
その方法は、前記患者を移動する前に、前記断絶ガードからの電気リードの接続を断ち；かつ通過モニター器具を、前記断絶ガードに連結することを更に含むのが好ましい。前記患者を移動する工程は、前記患者が１またはそれ以上の電気リードにさらに連結されると同時に、前記患者を移動することを含む。
【００３７】
本発明の更なる観点によれば、患者からの注入ラインの断絶を防止するための断絶ガードが提供される。前記断絶ガードは、筐体と、前記筐体上に備えられた複数の流体入口および流体出口と、前記筐体中に備えられた１またはそれ以上の流体コネクターとを含み、各流体コネクターは、一つの流体入口を、一つの流体出口に連結する。
【００３８】
好ましい実施形態によれば、前記断絶ガードは筐体（流体コネクターが前記筐体内で保護されている）を含むが、従って、少々劣る好ましい実施形態によれば、前記流体入口、流体出口および流体コネクターは、実質的に平坦な板上に備えられていてもよい。本発明のさらに好ましい観点によれば、患者からの注入ラインの断絶を防止するための断絶ガードが提供される。前記断絶ガードは、板と、前記板上に取り付けられた複数の流体入口および流体出口と、前記板上に備えられた１またはそれ以上の流体コネクターとを含み、各流体コネクターは、一つの流体入口を一つの流体出口と連結している。
【００３９】
本発明の様々な実施形態を、以下の添付の図を参照して、例示のためだけに、ここに説明する。
【００４０】
好ましい断絶ガードを、図１を参照して説明する。ある実施形態における、前記断絶ガード１は、６つの流体入口２と、６つの流体出口４を含む。前記筐体内の流体コネクター（図示せず）は、流体入口２を流体出口４に連結している。アクセスポート３は、各流体コネクターについて備えられていてもよい。前記デバイスを通して、流体の流れを調整することが可能な三方バルブ５が、備えられているのが好ましい。プラグ６、７は、クランプ８、９により、前記断絶ガードに固定されていてもよい。注入器具（図示せず）からの注入ライン（図示せず）は、オス連結（自己密封式メス連結を有する流体入口２に連結している）を備えているのが好ましい。断絶ガード１を前記患者に連結している注入ライン（図示せず）は、流体出口４（オス連結を備えているのが好ましい）に連結するために、メス封−密封コネクターを備えているのが好ましい。前記オス連結は、自己密封式ではない。
【００４１】
図２は、前記断絶ガード１の一部の背面図を示す。前記流体入口２および流体出口４は、流体コネクター３ａにより、互いに直接連結されているのがわかる。アクセスポート３は、前記流体コネクター３ａおよび前記三方バルブ５と、流体連結されているのが、示されている。
【００４２】
図３は、前記断絶ガード１の断面図を示し、特に電気モニターリードに連結されたプラグ６が、クランプ８により、どのようにして前記断絶ガード１に固定されていてもよいかを示している。
【００４３】
図４は、患者を移動する前の移動手押し車１５を示す。通過注入供給ライン１２および電気モニターリード１３は、通過注入およびモニター器具１４から伸びており、移動されながら、その患者は、その器具１４に連結されている。前記通過注入供給ライン１２は、適切にルートが決められており、そのため、それらは、患者が前記移動手押し車１５に一旦移動されると、断絶ガード１に連結するのに準備ができた状態である。
【００４４】
図５は、集中治療室（「ＩＴＵ」）注入器具１７およびＩＴＵモニター１９に、断絶ガード１を通じて依然連結されている、前記移動手押し車１５上の患者を示している。前記ＩＴＵ注入器具１７は、注入ライン１６により、前記断絶ガード１上の流体入口２に連結されているのが示されている。他の注入ライン２０は、前記断絶ガード１から流れ出ているように示され、前記患者に連結される。前記ＩＴＵモニター１９は、電気モニターリード１８、２５により、仲介プラグ６、７およびソケット６’、７’を介して前記患者に連結され、前記仲介プラグ６、７およびソケット６’、７’は、クランプ８、９により、前記断絶ガード１に固定されている。前記患者を移動するとき、前記断絶ガード１が連結されていた前記注入供給ライン１６は、前記断絶ガード１上のそれらに関連した流体入口２から接続を断たれる。前記ＩＴＵモニター１９（前記患者がそこに現在連結されている）から伸びている前記電気モニターリード１８は、同様に、前記プラグ６、７からプラグを抜かれる。前記患者は、その後、ベッドから前記移動手押し車１５へ移動される。前記注入ライン２０および電気リード２１（前記患者を前記断絶ガード１に連結させている）ならびに前記断絶ガード１を、前記患者と共に移動する。
【００４５】
図６は、前記移動手押し車１５に直ちに移動されたときの患者を示す。前記断絶ガード１、前記注入ライン２０および前記電気モニターリード２５（これらは、患者と共に移動される）は、定位置に留まっており、通過注入およびモニター器具１４は、その後、前記流体入口２および前記プラグ６、７（これらは、注入ライン１２および通過電気モニターリード１３により、それぞれ前記断絶ガード１上に位置を定められている）に連結される。前記断絶ガード１は、処置の間じゅう、前記患者の頭に位置を定められ、かつ留まり、前記断絶ガード１からの注入ラインは、前記患者に連結されたままであるのが好ましい。
【００４６】
図７は、複数の重力送り注入デバイスからの注入供給ラインを示す。前記注入供給ラインは、通常の方法で製造し、かつ用意されたＣＶＰおよび小動脈（Arteriole）圧変換ラインを含んでもよい。しかし、これらは、前記患者に直接連結しておらず、前記断絶ガード１上の前記関連する入口コネクター２に連結している。患者供給注入ラインは、前記関連する出口コネクター４に連結しており、一旦用意されると、麻酔の導入の間に、患者に連結される。注入流体は、他の手段により（例えば、１またはそれ以上の注射器ドライバを用いることにより）、前記断絶ガード１に供給されてもよい。
【００４７】
図８は、移動手押し車１５から手術台へ移動されてきた患者を示す。図６に示されている前記通過注入およびモニター器具１４は、手術室注入器具２２および手術室モニター器具２３と置き換えることができる。
【００４８】
外科手術準備の前に、前記断絶ガード１を介して、前記患者を前記手術室モニター２３および手術室注入器具２２に連結させることにより、外科手術チームまたは前記患者に、手術中、混乱を生じることなく、前記アクセスポート３を介して得られる注入を即座に利用することが可能になる。前記手術が完了したとき、前記手術注入供給ライン２４は、前記流体入口２から接続を断たれ、前記プラグ６、７は前記断絶ガード１から解放される。前記断絶ガード１は、注入ライン２０を介して前記患者に連結したままであり、その後、前記患者をモニター／注入器具に連結させるのに用いられる。
【図面の簡単な説明】
【００４９】
【図１】図１は、好ましい実施形態による断絶ガードの平面図を示す。
【図２】図２は、好ましい実施形態による流体コネクターを示す、前記筐体の一部を除去した、前記断絶ガードの背面図を示す。
【図３】図３は、１またはそれ以上のプラグを留めるための手段を有する、好ましい実施形態による前記断絶ガードの断面図を示す。
【図４】図４は、通過モニター器具およびリードを共に有する移動手押し車と、通過注入器具と、適切にルートを決められたラインとを示す。
【図５】図５は、ベッド上の患者と、好ましい実施形態による断絶ガードと、注入／モニター器具ラインおよびリードの位置決めとを示す。
【図６】図６は、移動手押し車上の患者と、好ましい実施形態による断絶ガードと、通過モニター器具および注入器具とを示す。
【図７】図７は、重力送りの注入デバイスが好ましい実施形態による断絶ガードにどのようにして連結されてもよいかを示す。
【図８】図８は、手術台上の患者と、好ましい実施形態による断絶ガードと、注入／モニター器具ラインおよびリードの位置ぎめとを示す。
【符号の説明】
【００５０】
１    断絶ガード
２    流体入口
３    アクセスポート
３ａ  流体コネクター
４    流体出口
５    三方バルブ
６、７    プラグ
６’、７’  ソケット
８、９  クランプ
１２  通過注入供給ライン
１３  電気モニターリード
１４  通過注入およびモニター器具
１５  移動手押し車
１６  注入ライン
１７  集中治療室注入器具
１８  電気モニターリード
１９  ＩＴＵモニター
２０  注入ライン
２１  電気リード
２２  手術室注入器具
２３  手術室モニター器具
２４  手術注入供給ライン
２５  電気モニターリード
【図１】
2005520644.tif 000003
【図２】
2005520644.tif 000004
【図３Ａ】
2005520644.tif 000005
【図３Ｂ】
2005520644.tif 000006
【図４】
2005520644.tif 000007
【図５】
2005520644.tif 000008
【図６】
2005520644.tif 000009
【図７】
2005520644.tif 000010
【図８】
2005520644.tif 000011
【国際調査報告】
2005520644.tif 000012
2005520644.tif 000013
2005520644.tif 000014